(57)【要約】【課題】樋継手本体及び／又は蓋体の一部に、内部を目視可能な透視部を形成することで、樋継手本体の内部の様子を外部から確認できると共に、内部の汚れた様子が外部から見え過ぎずに、そのデザイン性や美観を損なうことを防止する。【解決手段】集水体Ｓの集水口Ｓ１に連結される流入口１１と、竪樋Ｔの一端に連結される流出口１２とを備えたエルボ状の樋継手本体１の曲部近傍に、開口部１３を形成すると共に、この開口部１３を封止可能な蓋体２が着脱自在に取り付けられてなり、且つ、前記蓋体２の内面には、前記流入口１１に向けて棒体３が立設されてなる樋継手Ａであって、  前記樋継手本体１及び／又は蓋体２の一部には、内部を目視可能な透視部４が形成されていることを特徴とする。【選択図】図１
2007218016.tif 000002
【特許請求の範囲】
【請求項１】
集水体の集水口に連結される流入口と、竪樋の一端に連結される流出口とを備えたエルボ状の樋継手本体の曲部近傍に、開口部を形成すると共に、この開口部を封止可能な蓋体が着脱自在に取り付けられてなり、且つ、前記蓋体の内面には、前記流入口に向けて棒体が立設されてなる樋継手であって、
前記樋継手本体及び／又は蓋体の一部には、内部を目視可能な透視部が形成されていることを特徴とする樋継手。
【請求項２】
請求項１において、
透視部は、樋継手を設置した際、直視し難い位置に形成されていることを特徴とする樋継手。
【請求項３】
請求項２において、
透視部は、樋継手の背面側に形成されていることを特徴とする樋継手。
【発明の詳細な説明】
【技術分野】
【０００１】
本発明は、流入口と流出口を備えたエルボ状の樋継手本体の曲部近傍に開口部が形成されると共に、この開口部を封止可能な蓋体が着脱自在に取り付けられ、且つ、前記蓋体の内面には、前記流入口に向けて棒体が立設されてなり、前記流入口を、集水器等の集水体（以下、「集水体」と略する。）の集水口に連結すると共に、前記流出口を、竪樋の端部に連結して、前記集水体に集水される雨水等を前記竪樋に排水するための樋継手に関する。
【背景技術】
【０００２】
従来の樋継手は、軒樋の下流端に設置された集水体の集水口に、流入口と流出口を備えたエルボ状の樋継手本体の流入口を連結すると共に、この樋継手本体の流出口には、竪樋の上端部に内嵌する樋嵌合筒部を備えてなり、前記樋嵌合筒部を竪樋の上端部に内嵌させて、集水体と竪樋とを連通させ、集水体に集水される雨水等が、この樋継手を介して竪樋に通じて排水される構造のものが知られている（例えば、特許文献１参照。）。
【特許文献１】特開平８−１０９７１４号
【発明の開示】
【発明が解決しようとする課題】
【０００３】
ところで、前記集水体は、一般に、上方が開放された箱状に形成され、その底壁に集水口が形成された構造になっている。
【０００４】
そのため、前記集水体の上方から、例えば、ボール等の侵入物が侵入すると、前記侵入物が集水体の集水口を塞いでしまい、雨水等を竪樋を通じて排水できないばかりでなく、集水体に雨水等が貯水されて、やがて集水体から溢れ出てしまうという問題があった。
【０００５】
又、前記集水体に集水された雨水等は、その集水体の排水口の大きさに比例して排水されるが、豪雨等の際に多量の雨水等が流れ込んだ場合には、前記集水体の排水口から雨水等がスムーズに排水されずに、集水体から雨水等が溢れ出すことがあるという問題がある。
【０００６】
そこで、本出願人は、これらの問題を解決するため、エルボ状の樋継手本体の曲部近傍に、開口部を形成すると共に、この開口部を封止可能な蓋体を着脱自在に取り付け、しかも、前記蓋体の内面中央近傍には、前記流入口に向けて棒体を立設することによって、ボール等の侵入物の侵入を阻止すると共に、雨水等をスムーズに排水できる樋継手を発明し、既に出願している。
【０００７】
しかしながら、前記樋継手は、着色された合成樹脂で一体成形されているため、例えば、雨水と一緒に流された枯葉等が樋継手本体の側壁途中に付着したり、或いは、小鳥が巣作り等のために棒体を避けて藁等を押し詰めたりして、これらの枯葉や藁等が、その排水経路を邪魔して、雨水等をスムーズに排水できなくなってしまっている場合であっても、前記樋継手本体の内部の様子を外部から確認できないという問題があった。
【０００８】
この問題を解消するため、例えば、樋継手本体及び／又は蓋体自体を透明体で成形することも考えたが、近年のデザイン化に伴い、樋継手本体及び／又は蓋体自体を透明体で成形すれば、内部の汚れた様子が外部から見え過ぎてしまい、そのデザイン性や美観を損なうという問題がある。
【０００９】
本発明は、かかる課題を解決することを目的としたものであり、樋継手本体及び／又は蓋体の一部に、内部を目視可能な透視部を形成することで、樋継手本体の内部の様子を外部から確認できると共に、内部の汚れた様子が外部から見え過ぎずに、そのデザイン性や美観を損なうことのない樋継手を提供するものである。
【課題を解決するための手段】
【００１０】
上記目的を達成するため、
請求項１に係る樋継手は、集水体の集水口に連結される流入口と、竪樋の一端に連結される流出口とを備えたエルボ状の樋継手本体の曲部近傍に、開口部を形成すると共に、この開口部を封止可能な蓋体が着脱自在に取り付けられてなり、且つ、前記蓋体の内面には、前記流入口に向けて棒体が立設されてなる樋継手であって、前記樋継手本体及び／又は蓋体の一部には、内部を目視可能な透視部が形成されていることを特徴とする。
【００１１】
請求項２に係る樋継手は、請求項１において、透視部が、樋継手を設置した際、直視し難い位置に形成されていることを特徴とする。
【００１２】
請求項３に係る樋継手は、請求項２において、透視部が、樋継手の背面側に形成されていることを特徴とする。
【発明の効果】
【００１３】
本発明によれば、次のような効果がある。
請求項１に係る樋継手によれば、樋継手本体及び／又は蓋体の一部に、内部を目視可能な透視部が形成されているので、樋継手本体又は蓋体の内部の様子を外部から確認できると共に、内部の汚れた様子が外部から見え過ぎずに、そのデザイン性や美観を損なうことも防止できる。
【００１４】
請求項２に係る樋継手によれば、透視部は、樋継手を設置した際、直視し難い位置に形成されているので、前記樋継手の形状や設置場所に応じて、樋継手本体又は蓋体の内部の様子を外部から確認できると共に、内部の汚れた様子が外部から見え過ぎずに、そのデザイン性や美観を損なうことを確実に防止できる。
【００１５】
請求項３に係る樋継手によれば、請求項２における透視部は、樋継手の背面側に形成されているので、樋継手本体又は蓋体の内部の様子を外部から確認できると共に、内部の汚れた様子が外部から見え過ぎることがなく、そのデザイン性や美観を損なうことを、より確実に防止できる。
【発明を実施するための最良の形態】
【００１６】
以下、本発明に係る樋継手Ａを図面とともに説明する。
【実施例１】
【００１７】
図１は、本発明に係る樋継手Ａの一実施例を示す使用状態の分解斜視図、図２は、図１の樋継手Ａを背面側から見た状態を示す要部の分解斜視図、図３は、図１で示した樋継手Ａの概略断面図である。
【００１８】
この樋継手Ａは、集水体Ｓの集水口Ｓ１に連結される流入口１１と、竪樋Ｔの一端に連結される流出口１２とを備えたエルボ状の樋継手本体１の曲部近傍に、開口部１３を形成すると共に、この開口部１３を封止可能な蓋体２が着脱自在に取り付けられてなり、且つ、蓋体２の内面には、流入口１１に向けて棒体３が立設されてなる。
【００１９】
本発明は、樋継手本体１及び／又は蓋体２の一部には、内部を目視可能な透視部４が形成されていることを特徴にしている。
【００２０】
以下、各部材について詳説する。
【００２１】
集水体Ｓは、上方が開放された箱状に形成されており、その一側壁には従来同様、軒樋Ｔ’の下流端が連通され、また、中央には、貫通された集水口Ｓ１が形成されている。
【００２２】
ここで、集水体Ｓとは、本実施例で例示した集水器に限定されるものではなく、例えば、受け升、ドレン、チーズ等の集水体具の総称を意味している。なお、集水体Ｓの形状も丸型、角型等に限定されるものではない。
【００２３】
樋継手本体１は、直管の側壁に、他の直管を水平よりも僅かに下方に向けて連結した断面略Ｌ型或いは略Ｔ型のエルボ状に一体形成してなり、上方の開口を流入口１１とし、側方の開口を流出口１２としている。
【００２４】
又、樋継手本体１には、流入口１１の下方に向けて開口部１３が形成されるが、この開口部１３には、後述の蓋体２が装着されるため、流入口１１からの雨水等は、曲流されて流出口１２から排出されることとなる。
【００２５】
そして、この樋継手本体１の背面側には、図２、３で示すように、縦長の透視部４を形成している。
【００２６】
ここで、透視部４とは、内部の様子が目視可能な透明又は半透明で形成したものを意味しており、本実施例では、樋継手本体１の背面側に、縦長の開口を開設し、この開口に透明又は半透明の樹脂カバーを固着した透視部４を形成している。
【００２７】
また、本実施例では、透視部４を縦長に形成しているが、その形状は、樋継手Ａのデザインに応じて、例えば、円形、多角形等であっても良く、更に、その数を複数形成したものであっても構わない。
【００２８】
なお、樋継手Ａの設置場所によっては、図４で示すように、透視部４を蓋体２の一部に形成したものであっても構わない。
【００２９】
このように形成された樋継手本体１は、その流入口１１を、従来と同様、集水体Ｓの集水口Ｓ１に外嵌するように、流入口１１を嵌め込めば、樋継手本体１が集水体Ｓに連結して固定される。
【００３０】
一方、樋継手本体１の流出口１２には、竪樋Ｔの上端部Ｔ１に内嵌する樋嵌合筒部１４を形成しており、この樋嵌合筒部１４を竪樋Ｔの上端部Ｔ１に内嵌して連結している。
【００３１】
また、樋継手本体１の開口部１３には、これを封止可能な蓋体２が着脱自在に取り付けられる構造にしている。
【００３２】
この蓋体２は、上方が開放された、開口部１３を封止可能な有底筒状体であって、本実施例では、開口部１３の外側壁に、ネジ山１３ａを周方向に形成すると共に、このネジ山１３ａに螺合可能な螺合部２２を、蓋体２の内側壁に形成することで、蓋体２を開口部１３に着脱可能な構造にしている。なお蓋体２は、開口部１３を封止可能にするとともに開口部１３に取り外し可能な構造のものであれば、他の構造であっても構わない。
【００３３】
このような蓋体２の底面２３の中央には、棒体３を立設して保持可能な筒状の係止受部２１を形成している。
【００３４】
係止受部２１は、上方を開放した筒状体を蓋体２と一体形成すると共に、この係止受部２１に螺合させて着脱可能な係止部３１を、棒体３の下端に形成したものであるが、棒体３を立設して保持可能な構造であれば、これに限定されるものではなく、例えば、係止受部２１に棒体３の下端を嵌合させる構造であっても構わない。
【００３５】
更に、蓋体２の内底面には、これを開口部１３に螺合した際に、その隙間からの水漏れを止水するためのゴムパッキン等のシール部材２４を装着しておくのが好ましい。
【００３６】
棒体３は、その名の通り、中実または中空の単なる棒状に形成したものであるが、この棒体３の長さは、蓋体２を開口部１３に装着した状態において、棒体３の上端が流入口１１よりも上方に突出する程度に形成するのが好ましい。
【００３７】
上記の如く構成した本発明の樋継手Ａの使用要領を図１〜３に基づき説明する。
【００３８】
先ず、本発明における樋継手本体１の流入口１１を、集水体Ｓの集水口Ｓ１に連結固定すると共に、樋継手本体１の流出口１２に、竪樋Ｔの上端部を連結させて固定する。
【００３９】
このとき、樋継手本体１の透視部４が、例えば、家屋の壁面側等のような直視し難い位置に配置されていることを確認する。
【００４０】
次に、蓋体２の係止受部２１に、棒体３の下端を嵌合又は螺合して、この棒体３を蓋体２に立設させた状態に固定する。
【００４１】
そして、樋継手本体１の開口部１３に向けて、棒体３を貫通させながら、蓋体２を嵌め合わせて螺合すれば、図３で示すように、棒体３が立設された状態で簡単に装着でき、樋継手Ａの設置を完了する。
【００４２】
この設置完了後、集水体Ｓの上方からボール等の侵入物（不図示）が侵入しようとしても、突出された棒体３の上端部が、これを邪魔して集水体Ｓの内部に侵入することを阻止し、前記侵入物（不図示）が集水口Ｓ１を塞いで、雨水等の詰まりを防止できる。
【００４３】
また、集水された雨水等は、棒体３の整流作用によって、樋継手本体１内に雨水等が滞留することなく、流出口１２からスムーズに排水されるのである。
【００４４】
そして、樋継手本体１内の様子を確認したいとき等は、樋継手本体１の背面側、すなわち、前記壁面側から透視部４を覗き込んで、その内部の様子を目視すれば、樋継手本体１内の様子を外部から確認できると共に、内部の汚れた様子が外部から見え過ぎずに、そのデザイン性や美観を損なうことも防止できる。
【００４５】
また、この際、樋継手本体１内に枯葉等が付着しているようであれば、蓋体２を樋継手本体１から取外したうえで棒体３を取外せば、その落葉等を容易に除去することができるのである。
【図面の簡単な説明】
【００４６】
【図１】本発明に係る樋継手Ａの一実施例を示す使用状態の分解斜視図である。
【図２】図１の樋継手Ａを背面側から見た状態を示す要部の分解斜視図である。
【図３】図１で示した樋継手Ａの概略断面図である。
【図４】透視部４の他の実施例を示す蓋体２の概略底面図である。
【符号の説明】
【００４７】
Ａ      樋継手
Ｓ      集水体
Ｓ１    集水口
Ｔ      竪樋
１      樋継手本体
１１    流入口（雨水等の上流側口）
１２    流出口（雨水等の下流側口）
１３    開口部
２      蓋体
２１    係止受部
３      棒体
３１    係止部
４      透視部
【図１】
2007218016.tif 000003
【図２】
2007218016.tif 000004
【図３】
2007218016.tif 000005
【図４】
2007218016.tif 000006